(57)【要約】      （修正有）【課題】洗車機本体の各走行位置で、高精度に、ブロワによる乾燥効果を確保しながら、ブロワによる騒音を低減すること。【解決手段】洗車機１０において、洗車機本体１２が騒音規制点Ｐから走行距離Ｌｘに位置するときに、騒音規制点Ｐの騒音を騒音目標値Ａとするに必要な、ブロワのモータの回転数Ｎｘを、Ｎｘ＝Ｚ−［Ｂ−Ａ−ＫＬｏｇ（Ｌｘ／Ｌ０）］／Ｆ０により算出し、この算出結果に基づき、洗車機本体１２の走行距離Ｌｘに応じて、ブロワを駆動するモータの回転数を制御するもの。【選択図】図２
2010089548.tif 000002
【特許請求の範囲】
【請求項１】
車両に乾燥用空気を吹付けるブロワを備えてなる洗車機において、
ブロワを駆動するモータの回転数を制御する制御手段を有し、
制御手段は、
洗車機の周辺に定めた騒音規制点における騒音目標値をＡとし、
洗車機本体の騒音規制点から待機位置までの距離を基準距離Ｌ０とし、ブロワのモータを基準回転数Ｚで回転させたときに、騒音規制点で測定される騒音基準値をＢとし、
ブロワのモータを単位回転数だけ回転低下させる毎にブロワが発する騒音の基準距離Ｌ０だけ離隔した位置で測定される単位騒音低減量をＦ０とし、ブロワのモータを低減回転数Ｈだけ回転低下させたときの、ブロワのモータの回転低下による基準距離Ｌ０だけ離隔した位置で測定される騒音低減量ＦをＦ＝Ｆ０×Ｈとし、
洗車機本体が騒音規制点から走行距離Ｌｘだけ離隔したときに、騒音規制点で測定される洗車機本体の走行距離の変化による騒音低減量Ｖを、
Ｖ＝ＫＬｏｇ（Ｌｘ／Ｌ０）
（但し、Ｋ：走行距離の影響係数）とし、
洗車機本体が騒音規制点から走行距離Ｌｘに位置するときに、騒音規制点の騒音を騒音目標値Ａとするに必要な、ブロワのモータの回転数Ｎｘを、
Ｎｘ＝Ｚ−［Ｂ−Ａ−ＫＬｏｇ（Ｌｘ／Ｌ０）］／Ｆ０
により算出し、この算出結果に基づき、洗車機本体の走行距離Ｌｘに応じて、ブロワを駆動するモータの回転数を制御することを特徴とする洗車機。
【請求項２】
前記騒音規制点の洗車機本体に関係しない周辺の状況の変化が当該騒音規制点の騒音測定結果に及ぼす騒音基準値補正量をＳとするとき、
Ｎｘ＝Ｚ−［Ｂ＋Ｓ−Ａ−ＫＬｏｇ（Ｌｘ／Ｌ０）］／Ｆ０
とする請求項１に記載の洗車機。
【請求項３】
前記洗車機本体が走行距離検出器を備え、制御手段は走行距離検出器が検出した洗車機本体の走行距離に応じて、前記モータの回転数を制御する請求項１又は２に記載の洗車機。
【請求項４】
前記制御手段が前記モータのインバータを周波数制御する請求項１〜３のいずれかに記載の洗車機。
【請求項５】
車両に乾燥用空気を吹付けるブロワを備えてなる洗車機の騒音制御方法において、
洗車機の周辺に定めた騒音規制点における騒音目標値をＡとし、
洗車機本体の騒音規制点から待機位置までの距離を基準距離Ｌ０とし、ブロワのモータを基準回転数Ｚで回転させたときに、騒音規制点で測定される騒音基準値をＢとし、
ブロワのモータを単位回転数だけ回転低下させる毎にブロワが発する騒音の基準距離Ｌ０だけ離隔した位置で測定される単位騒音低減量をＦ０とし、ブロワのモータを低減回転数Ｈだけ回転低下させたときの、ブロワのモータの回転低下による基準距離Ｌ０だけ離隔した位置で測定される騒音低減量ＦをＦ＝Ｆ０×Ｈとし、
洗車機本体が騒音規制点から走行距離Ｌｘだけ離隔したときに、騒音規制点で測定される洗車機本体の走行距離の変化による騒音低減量Ｖを、
Ｖ＝ＫＬｏｇ（Ｌｘ／Ｌ０）
（但し、Ｋ：走行距離の影響係数）とし、
洗車機本体が騒音規制点から走行距離Ｌｘに位置するときに、騒音規制点の騒音を騒音目標値Ａとするに必要な、ブロワのモータの回転数Ｎｘを、
Ｎｘ＝Ｚ−［Ｂ−Ａ−ＫＬｏｇ（Ｌｘ／Ｌ０）］／Ｆ０
により算出し、この算出結果に基づき、洗車機本体の走行距離Ｌｘに応じて、ブロワを駆動するモータの回転数を制御することを特徴とする洗車機の騒音制御方法。
【請求項６】
前記騒音規制点の洗車機本体に関係しない周辺の状況の変化が当該騒音規制点の騒音測定結果に及ぼす騒音基準値補正量をＳとするとき、
Ｎｘ＝Ｚ−［Ｂ＋Ｓ−Ａ−ＫＬｏｇ（Ｌｘ／Ｌ０）］／Ｆ０
とする請求項５に記載の洗車機の騒音制御方法。
【発明の詳細な説明】
【技術分野】
【０００１】
本発明は洗車機及びその騒音制御方法に関する。
【背景技術】
【０００２】
洗車機は、洗車機本体を車両に対して移動させながら、回転ブラシにより車両の表面をブラッシング洗浄し、ブラッシング洗浄された車両にブロワにより乾燥用空気を吹付け、車両の表面に付着した水滴を吹飛ばしてこれを乾燥する。
【０００３】
特許文献１に記載の洗車機では、ブロワが発する騒音対策として、夜間等の所定の時間帯で、ブロワを駆動するモータの回転数を低下させることとしている。
【特許文献１】特開平7-32983
【発明の開示】
【発明が解決しようとする課題】
【０００４】
しかしながら、特許文献１に記載の洗車機では、所定の時間帯におけるモータの回転数を、洗車機本体が車両に対するいずれの走行位置にあっても、低下させる。このため、ブロワによる乾燥効果が全乾燥工程で低下する。
【０００５】
本発明の課題は、洗車機本体の各走行位置で、高精度に、ブロワによる乾燥効果を確保しながら、ブロワによる騒音を低減することにある。
【課題を解決するための手段】
【０００６】
請求項１の発明は、車両に乾燥用空気を吹付けるブロワを備えてなる洗車機において、ブロワを駆動するモータの回転数を制御する制御手段を有し、制御手段は、洗車機の周辺に定めた騒音規制点における騒音目標値をＡとし、洗車機本体の騒音規制点から待機位置までの距離を基準距離Ｌ０とし、ブロワのモータを基準回転数Ｚで回転させたときに、騒音規制点で測定される騒音基準値をＢとし、ブロワのモータを単位回転数だけ回転低下させる毎にブロワが発する騒音の基準距離Ｌ０だけ離隔した位置で測定される単位騒音低減量をＦ０とし、ブロワのモータを低減回転数Ｈだけ回転低下させたときの、ブロワのモータの回転低下による基準距離Ｌ０だけ離隔した位置で測定される騒音低減量ＦをＦ＝Ｆ０×Ｈとし、洗車機本体が騒音規制点から走行距離Ｌｘだけ離隔したときに、騒音規制点で測定される洗車機本体の走行距離の変化による騒音低減量Ｖを、Ｖ＝ＫＬｏｇ（Ｌｘ／Ｌ０）（但し、Ｋ：走行距離の影響係数）とし、洗車機本体が騒音規制点から走行距離Ｌｘに位置するときに、騒音規制点の騒音を騒音目標値Ａとするに必要な、ブロワのモータの回転数Ｎｘを、Ｎｘ＝Ｚ−［Ｂ−Ａ−ＫＬｏｇ（Ｌｘ／Ｌ０）］／Ｆ０により算出し、この算出結果に基づき、洗車機本体の走行距離Ｌｘに応じて、ブロワを駆動するモータの回転数を制御するようにしたものである。
【０００７】
請求項２の発明は、請求項１の発明において更に、前記騒音規制点の洗車機本体に関係しない周辺の状況の変化が当該騒音規制点の騒音測定結果に及ぼす騒音基準値補正量をＳとするとき、Ｎｘ＝Ｚ−［Ｂ＋Ｓ−Ａ−ＫＬｏｇ（Ｌｘ／Ｌ０）］／Ｆ０とするようにしたものである。
【０００８】
請求項３の発明は、請求項１又は２の発明において更に、前記洗車機本体が走行距離検出器を備え、制御手段は走行距離検出器が検出した洗車機本体の走行距離に応じて、前記モータの回転数を制御するようにしたものである。
【０００９】
請求項４の発明は、請求項１〜３のいずれかの発明において更に、前記制御手段が前記モータのインバータを周波数制御するようにしたものである。
【００１０】
請求項５の発明は、車両に乾燥用空気を吹付けるブロワを備えてなる洗車機の騒音制御方法において、洗車機の周辺に定めた騒音規制点における騒音目標値をＡとし、洗車機本体の騒音規制点から待機位置までの距離を基準距離Ｌ０とし、ブロワのモータを基準回転数Ｚで回転させたときに、騒音規制点で測定される騒音基準値をＢとし、ブロワのモータを単位回転数だけ回転低下させる毎にブロワが発する騒音の基準距離Ｌ０だけ離隔した位置で測定される単位騒音低減量をＦ０とし、ブロワのモータを低減回転数Ｈだけ回転低下させたときの、ブロワのモータの回転低下による基準距離Ｌ０だけ離隔した位置で測定される騒音低減量ＦをＦ＝Ｆ０×Ｈとし、洗車機本体が騒音規制点から走行距離Ｌｘだけ離隔したときに、騒音規制点で測定される洗車機本体の走行距離の変化による騒音低減量Ｖを、Ｖ＝ＫＬｏｇ（Ｌｘ／Ｌ０）（但し、Ｋ：走行距離の影響係数）とし、洗車機本体が騒音規制点から走行距離Ｌｘに位置するときに、騒音規制点の騒音を騒音目標値Ａとするに必要な、ブロワのモータの回転数Ｎｘを、Ｎｘ＝Ｚ−［Ｂ−Ａ−ＫＬｏｇ（Ｌｘ／Ｌ０）］／Ｆ０により算出し、この算出結果に基づき、洗車機本体の走行距離Ｌｘに応じて、ブロワを駆動するモータの回転数を制御するようにしたものである。
【００１１】
請求項６の発明は、請求項５の発明において更に、前記騒音規制点の洗車機本体に関係しない周辺の状況の変化が当該騒音規制点の騒音測定結果に及ぼす騒音基準値補正量をＳとするとき、Ｎｘ＝Ｚ−［Ｂ＋Ｓ−Ａ−ＫＬｏｇ（Ｌｘ／Ｌ０）］／Ｆ０とするようにしたものである。
【発明の効果】
【００１２】
（請求項１、５）
(a)騒音規制点Ｐにおける騒音目標値をＡ、
洗車機本体の騒音規制点Ｐから待機位置までの距離を基準距離Ｌ０とし、ブロワのモータを基準回転数Ｚで回転させたときに、騒音規制点Ｐで測定される騒音基準値をＢ、
ブロワのモータの回転低下による基準距離Ｌ０だけ離隔した位置で測定される騒音低減量ＦをＦ＝Ｆ０×Ｈ（Ｆ０はモータを単位回転数だけ回転低下させる毎にブロワが発する騒音の基準距離Ｌ０だけ離隔した位置で測定される単位騒音低減量、Ｈはモータの低減回転数）、
洗車機本体の走行距離の変化（走行距離Ｌｘ／基準距離Ｌ０）による騒音低減量ＶをＶ＝ＫＬｏｇ（Ｌｘ／Ｌ０）とする条件下で、
洗車機本体が騒音規制点Ｐから走行距離Ｌｘに位置するときに、騒音規制点Ｐの騒音を騒音目標値Ａとするに必要な、ブロワのモータの回転数をＮｘとするとき、
Ａ＝Ｂ−（Ｆ＋Ｖ）
Ｎｘ＝Ｚ−Ｈ
が成立することに基づき、
Ｎｘ＝Ｚ−［Ｂ−Ａ−ＫＬｏｇ（Ｌｘ／Ｌ０）］／Ｆ０
が成立する。Ｌｘを変数とする上述Ｎｘの関係式を用いることにより、洗車機本体が各走行位置（Ｌｘ）のそれぞれに位置するときに、騒音規制点Ｐの騒音を騒音目標値Ａに規制しながら、ブロワを駆動するモータの回転数Ｎｘを最適制御するものになる。従って、洗車機本体の各走行位置で、高精度に、ブロワによる乾燥効果を確保しながら、ブロワによる騒音を低減することができる。
【００１３】
（請求項２、６）
(b)騒音規制点Ｐの洗車機本体に関係しない周辺の状況の変化が当該騒音規制点Ｐの騒音測定結果に及ぼす騒音基準値補正量をＳとするとき、
Ｎｘ＝Ｚ−［Ｂ＋Ｓ−Ａ−ＫＬｏｇ（Ｌｘ／Ｌ０）］／Ｆ０
とする。騒音基準値Ｂの測定時に対する騒音規制点Ｐの周辺の状況変化が騒音規制点Ｐの騒音測定結果に及ぼす影響を加味することになり、ブロワを駆動するモータの回転数Ｎｘを高精度に最適制御できる。
【００１４】
（請求項３）
(c)洗車機本体が備える走行距離検出器により、洗車機本体の走行距離を高精度に検出できる。
【００１５】
（請求項４）
(d)ブロワを駆動するモータのインバータを制御することにより、モータの回転数を高精度に制御できる。
【発明を実施するための最良の形態】
【００１６】
図１は洗車機を示す模式図、図２は洗車機本体の走行位置の変化を示す模式図、図３は洗車機の騒音制御回路を示すブロック図、図４は洗車機本体の走行距離とブロワの回転数の関係を示す模式図、図５は洗車機本体の走行距離の変化が騒音低減量に及ぼす影響を表わした騒音実測値と騒音計算値を示す図表、図６は洗車機本体の走行距離の変化が騒音低減量に及ぼす影響を表わした対数式を示す線図である。
【実施例】
【００１７】
洗車機１０は、図１に示す如く、洗車場に設けた左右のレール１１上を往復走行することにて、両レール１１の間の床面上に停車させた車両１に沿って移動する門型フレーム状の洗車機本体１２を有し、この洗車機本体１２にトップブラシ２１、サイドブラシ２２、トップノズル３１、サイドノズル３２を備える。
【００１８】
トップブラシ２１とサイドブラシ２２は、車両をブラッシング処理する回転ブラシ２０を構成し、それらの回転軸の周囲にブラシを植毛して構成される。洗車機１０は、清水供給管やワックス供給管等の配管類を洗車機本体１２に備え、清水やワックスの供給下で、トップブラシ２１とサイドブラシ２２を待機位置から車両１の側に移動し、トップブラシ２１の回転により車両１の上面を、サイドブラシ２２の回転により車両１の側面をブラッシング洗浄する。
【００１９】
トップノズル３１とサイドノズル３２は、ブロワ３０に接続される。ブロワ３０は、モータ３０Ａにより駆動され、トップノズル３１とサイドノズル３２に乾燥用空気を圧送する。トップノズル３１とサイドノズル３２は待機位置から車両１の側に移動し、それらの吹出し口を車両１の表面に対する適宜の角度にチルトして傾け、トップノズル３１が吹出す乾燥用空気を車両１の上面に吹付けてこれを乾燥し、サイドノズル３２が吹出す乾燥用空気を車両１の側面に吹付けてこれを乾燥する。
【００２０】
洗車機１０は、走行距離検出器４１、車形検出器４２、制御手段５０を有する。走行距離検出器４１は、洗車機本体１２の走行車輪等に備えられ、洗車機本体１２の走行距離を検出する。車形検出器４２は、例えば、洗車機１０の往復方向の前端寄りで、洗車エリアを挟む洗車機本体１２の左右両側に投光センサ群と受光センサ群を対向設置し、投光センサ群の鉛直方向に沿う検出ライン上に縦列配置させた各投光センサからの投光が車両１に遮られるか否かを、受光センサ群の鉛直方向に沿う検出ライン上に縦列配置させた各受光センサで検知することにより、検出ライン上での車体の有無を検出し、洗車機本体１２の各走行位置における、この検出結果を車形データとしてメモリに格納する。
【００２１】
制御手段５０は、走行距離検出器４１が検出した洗車機本体１２の各走行位置における車形データに基づいて、トップブラシ２１とサイドブラシ２２を制御してブラッシング洗浄し、ブロワ３０とトップノズル３１とサイドノズル３２を制御して乾燥処理し、車両１の洗車を行なう。
【００２２】
しかるに、洗車機１０は、現実の洗車場に設置された状況下における、洗車機本体１２の各走行位置で、ブロワ３０を駆動するモータ３０Ａの回転数（回転速度）を制御し、ブロワ３０による乾燥効果を確保しながら、ブロワ３０が周辺民家等に及ぼす騒音を低減するため、以下の構成を具備する。
【００２３】
(1)制御手段５０は、図２に示す如く、洗車機１０の周辺に騒音規制点Ｐと、当該騒音規制点Ｐにおける騒音目標値Ａ（例えばＡ＝60dB）を定める。洗車機１０は、左右のレール１１に沿って洗車機本体１２を待機位置（走行起点）から往復走行させて洗車するとき、洗車機本体１２を騒音規制点Ｐに対して離隔〜接近させるものになる。尚、図２において、１０１は民家、１０２は洗車場と民家１０１との境界に設置された壁を示す。
【００２４】
(2)洗車機本体１２の騒音規制点Ｐから待機位置までの距離を基準距離Ｌ０（例えばＬ０＝2ｍ）とし、ブロワ３０のモータ３０Ａを基準回転数Ｚ（例えばＺ＝50Hz）で回転させたときに、騒音規制点Ｐで測定される騒音基準値をＢ（例えばＢ＝80Hz）とする。
【００２５】
(3)ブロワ３０のモータ３０Ａを単位回転数（１回転）だけ回転低下させる毎にブロワ３０が発する騒音の、基準距離Ｌ０だけ離隔した位置で測定される単位騒音低減量をＦ０（例えばＦ０＝0.78dB／Hz）とする。そして、ブロワ３０のモータ３０Ａを低減回転数Ｈだけ回転低下させたときの、ブロワ３０のモータ３０Ａの回転低下による、基準距離Ｌ０だけ離隔した位置で測定される騒音低減量ＦをＦ＝Ｆ０×Ｈとする。
【００２６】
(4)洗車機本体１２が騒音規制点Ｐから走行距離Ｌｘだけ離隔したときに、騒音規制点Ｐで設定される洗車機本体１２の走行距離Ｌｘの変化による騒音低減量Ｖを、
Ｖ＝ＫＬｏｇ（Ｌｘ／Ｌ０）  （但し、Ｋ：走行距離の影響係数）  …(1)
とする。
【００２７】
洗車機本体１２が騒音規制点Ｐから走行距離Ｌｘ＝Ｌ０（例えばＬ０＝2ｍ）だけ離隔したときに、騒音規制点Ｐで測定される騒音を前述の騒音基準値Ｂ（例えばＢ＝80dB）とし、Ｌｘが1〜10ｍの範囲で各1ｍずつ変化したときの騒音規制点Ｐで測定される騒音Ｂｘの実測値を図５、図６に示す。
【００２８】
他方、洗車機本体１２が騒音規制点Ｐから走行距離Ｌｘ＝Ｌ０（例えばＬ０＝2ｍ）だけ離隔したときに、騒音規制点Ｐで測定される騒音を前述の騒音基準値Ｂ（例えばＢ＝80dB）とし、Ｌｘが1〜20ｍの範囲で各1ｍずつ変化したときの騒音規制点Ｐで測定される騒音Ｂｘを、上述のＶ＝ＫＬｏｇ（Ｌｘ／Ｌ０）を用い、Ｋ＝15、16、17、18、19又は20として算出した計算値Ｂｘ＝Ｂ−ＫＬｏｇ（Ｌｘ／Ｌ０）を図５、図６に示す。
【００２９】
本実施例では、図５、図６の実験結果より、Ｂｘの計算値が実測値に最も合致するＫ＝17を採用することとする。
【００３０】
(5)洗車機本体１２が騒音規制点Ｐから走行距離Ｌｘに位置するときに、騒音規制点Ｐの騒音を騒音目標値Ａとするに必要な、ブロワ３０のモータ３０Ａの回転数をＮｘとするとき、
Ａ＝Ｂ−（Ｆ＋Ｖ）  …(2)
Ｎｘ＝Ｚ−Ｈ        …(3)
より以下の関係式が成立する。
Ｎｘ＝Ｚ−［Ｂ−Ａ−ＫＬｏｇ（Ｌｘ／Ｌ０）］／Ｆ０  …(4)
【００３１】
但し、上述(4)式のＺ、Ｂ、Ａ、Ｋ、Ｌ０、Ｆ０は予め定められる値であり、本実施例では前述の如くＺ＝50Hz、Ｂ＝80dB、Ａ＝60dB、Ｋ＝17、Ｌ０＝2ｍ、Ｆ０＝0.78dB／Hzである。制御手段５０は、この(4)式をメモリに格納する。
【００３２】
(6)制御手段５０は、走行距離検出器４１の検出結果を得て、洗車機本体１２が騒音規制点Ｐから走行距離Ｌｘに位置するときに、騒音規制点Ｐの騒音Ｂｘを騒音目標値Ａとするに必要な、ブロワ３０のモータ３０Ａの回転数Ｎｘを、上述(4)式により算出する。そして、制御手段５０は、この算出結果に基づき、洗車機本体１２の走行距離Ｌｘに応じて、ブロワ３０を駆動するモータ３０Ａの回転数Ｎｘを制御する。本実施例では、制御手段５０は、図３に示す如く、ブロワ３０を駆動するモータ３０Ａのインバータ３０Ｂを周波数制御する。
【００３３】
(7)前述(5)、(6)において、騒音規制点Ｐにおいて洗車機本体１２に関係しない周辺の状況の変化、例えば朝、昼、晩の各時間帯における暗騒音の変化が、騒音規制点Ｐの騒音測定結果に及ぼす騒音基準値補正量をＳとするとき、
Ｎｘ＝Ｚ−［Ｂ＋Ｓ−Ａ−ＫＬｏｇ（Ｌｘ／Ｌ０）］／Ｆ０  …(5)
【００３４】
例えば、前述(2)の騒音基準値Ｂが朝時間帯で測定されたものであるとき、朝時間帯のＮｘの算出にあたってはＳ＝0、朝時間帯より暗騒音の大きな昼時間帯のＮｘの算出にあたってはＳ＝5、朝時間帯より暗騒音の小さな夜時間帯のＮｘの算出にあたってはＳ＝−1の如くとする。即ち、制御手段５０は、洗車機１０の運転時間帯に応じた周辺の状況変化毎に異なるＳを予めメモリしてあり、洗車機１０の運転時間帯に応じた最適補正量Ｓを用いることができる。
【００３５】
表１、表２は、制御手段５０による騒音制御結果を示すものである。Ａ＝60dBとし、朝時間帯において実測したＢ＝80dB（Ｚ＝50Hz）を騒音基準値とするものである（Ｋ＝17、Ｌ０＝2ｍ、Ｆ０＝0.78dB／Hz）。
【００３６】
【表１】
2010089548.tif 000003
【００３７】
【表２】
2010089548.tif 000004
【００３８】
表１は、洗車機本体１２の各走行位置（Ｌｘ＝2〜10ｍ）において、騒音規制点Ｐの騒音を騒音目標値Ａとするに必要なＮｘ（Ｓ＝0）を算出した結果を示す。ブロワ３０のモータ３０Ａを朝時間帯と昼時間帯のそれぞれにおいて、このＮｘ（Ｓ＝0）で運転した。朝時間帯の騒音規制点Ｐの騒音Ｂｘａは騒音目標値Ａの範囲内に規制された。ところが、昼時間帯の騒音規制点Ｐの騒音Ｂｘｂは騒音目標値Ａの範囲外になることを認めた。
【００３９】
表２は、騒音基準値Ｂの測定時（朝時間帯）と異なる昼時間帯における、騒音規制点Ｐの周辺の状況変化（暗騒音）に対応するＳ＝5を用い、洗車機本体１２の各走行位置（Ｌｘ＝2〜10ｍ）において、騒音規制点Ｐの騒音を騒音目標値Ａとするに必要なＮｘ（Ｓ＝5）を算出した結果を示す。この算出データを図示すれば、図４の如くになる。ブロワ３０のモータ３０Ａを、昼時間帯において、このＮｘ（Ｓ＝5）で運転したところ、騒音規制点Ｐの騒音Ｂｘｂは騒音目標値Ａの範囲内に規制された。
【００４０】
表１、表２より明らかな如く、ブロワ３０を駆動するモータ３０Ａの回転数は、洗車機本体１２が騒音規制点Ｐから離隔するに従って増速制御されて乾燥効果を高められる。洗車機本体１２が騒音規制点Ｐに対するいずれの走行位置にあるときにも、騒音基準値補正量Ｓを適切に設定することにより、騒音規制点Ｐの騒音Ｂｘを常に騒音目標値Ａ以下に規制できる。
【００４１】
本実施例によれば以下の作用効果を奏する。
(a)騒音規制点Ｐにおける騒音目標値をＡ、
洗車機本体１２の騒音規制点Ｐから待機位置までの距離を基準距離Ｌ０とし、ブロワ３０のモータ３０Ａを基準回転数Ｚで回転させたときに、騒音規制点Ｐで測定される騒音基準値をＢ、
ブロワ３０のモータ３０Ａの回転低下による基準距離Ｌ０だけ離隔した位置で測定される騒音低減量ＦをＦ＝Ｆ０×Ｈ（Ｆ０はモータ３０Ａを単位回転数だけ回転低下させる毎にブロワ３０が発する騒音の基準距離Ｌ０だけ離隔した位置で測定される単位騒音低減量、Ｈはモータ３０Ａの低減回転数）、
洗車機本体１２の走行距離の変化（走行距離Ｌｘ／基準距離Ｌ０）による騒音低減量ＶをＶ＝ＫＬｏｇ（Ｌｘ／Ｌ０）とする条件下で、
洗車機本体１２が騒音規制点Ｐから走行距離Ｌｘに位置するときに、騒音規制点Ｐの騒音を騒音目標値Ａとするに必要な、ブロワ３０のモータ３０Ａの回転数をＮｘとするとき、
Ａ＝Ｂ−（Ｆ＋Ｖ）
Ｎｘ＝Ｚ−Ｈ
が成立することに基づき、
Ｎｘ＝Ｚ−［Ｂ−Ａ−ＫＬｏｇ（Ｌｘ／Ｌ０）］／Ｆ０
が成立する。Ｌｘを変数とする上述Ｎｘの関係式を用いることにより、洗車機本体１２が各走行位置（Ｌｘ）のそれぞれに位置するときに、騒音規制点Ｐの騒音を騒音目標値Ａに規制しながら、ブロワ３０を駆動するモータ３０Ａの回転数Ｎｘを最適制御するものになる。従って、洗車機本体１２の各走行位置で、高精度に、ブロワ３０による乾燥効果を確保しながら、ブロワ３０による騒音を低減することができる。
【００４２】
(b)騒音規制点Ｐの洗車機本体１２に関係しない周辺の状況の変化が当該騒音規制点Ｐの騒音測定結果に及ぼす騒音基準値補正量をＳとするとき、
Ｎｘ＝Ｚ−［Ｂ＋Ｓ−Ａ−ＫＬｏｇ（Ｌｘ／Ｌ０）］／Ｆ０
とする。騒音基準値Ｂの測定時に対する騒音規制点Ｐの周辺の状況変化が騒音規制点Ｐの騒音測定結果に及ぼす影響を加味することになり、ブロワを駆動するモータ３０Ａの回転数Ｎｘを高精度に最適制御できる。
【００４３】
(c)洗車機本体１２が備える走行距離検出器４１により、洗車機本体１２の走行距離を高精度に検出できる。
【００４４】
(d)ブロワ３０を駆動するモータ３０Ａのインバータ３０Ｂを制御することにより、モータ３０Ａの回転数を高精度に制御できる。
【００４５】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００４６】
【図１】図１は洗車機を示す模式図である。
【図２】図２は洗車機本体の走行位置の変化を示す模式図である。
【図３】図３は洗車機の騒音制御回路を示すブロック図である。
【図４】図４は洗車機本体の走行距離とブロワの回転数の関係を示す模式図である。
【図５】図５は洗車機本体の走行距離の変化が騒音低減量に及ぼす影響を表わした騒音実測値と騒音計算値を示す図表である。
【図６】洗車機本体の走行距離の変化が騒音低減量に及ぼす影響を表わした対数式を示す線図である。
【符号の説明】
【００４７】
１  車両
１０  洗車機
１２  洗車機本体
３０  ブロワ
３０Ａ  モータ
３０Ｂ  インバータ
４１  走行距離検出器
５０  制御手段
【図１】
2010089548.tif 000005
【図２】
2010089548.tif 000006
【図３】
2010089548.tif 000007
【図４】
2010089548.tif 000008
【図５】
2010089548.tif 000009
【図６】
2010089548.tif 000010